(57)【要約】【課題】荷重作用点の強度がワイヤ破断強度よりやや劣る場合であっても、荷重作用点の部材が破損する恐れがないアイ補強金具を提供する。【解決手段】アイ補強金具１は、ワイヤロープ２のアイ３内部に嵌め込むもので、断面略半円状の溝部４を形成しこれに沿ってワイヤロープ２を嵌める。溝部４には一対の跳出部５，５を設け、その重合部に孔６，６を穿設する。この孔６にボルトを挿通する場合には、先ずアイ３を係止具の爪に引っ掛け、次に係止具より突設する係止板にボルトを挿入し、ナットにて緊結する。ワイヤロープ２は、爪と、ボルトナットとで係止され荷重作用点が分散する。【選択図】図１
2007131378.tif 000002
【特許請求の範囲】
【請求項１】
ワイヤロープのアイ内部に嵌め込み、外面に溝部を形成する板材からなるアイ補強金具において、前記板材は、巻装するワイヤーロープを把持する少なくとも一対の跳出部を設け、この跳出部のワイヤーロープ外方にある重合部に締付金具挿通用の孔を穿設することを特徴とするアイ補強金具。
【請求項２】
前記板材は、丸形であって、二対以上の跳出部を設けることを特徴とする請求項１記載のアイ補強金具。
【発明の詳細な説明】
【技術分野】
【０００１】
この発明は、メッセンジャーワイヤや玉掛けワイヤ等のワイヤロープの端部に形成される輪形のアイ内部に嵌め込み、その輪形が潰れないように保持するためのアイ補強金具に関する。
【背景技術】
【０００２】
ケーブル架設の際に使用するメッセンジャーワイヤや、クレーンや揚重機器等で荷を吊る場合に使用する各種のスリングやワイヤロープ等の玉掛け用具は、端部を編み込んだり、あるいは挿入したスリーブを機械で強く圧縮して接続し、これによりアイと呼ばれる輪形を形成している。
【０００３】
このアイはワイヤロープを通したり、クレーンのフックや係止具に掛けたりするが、荷重が作用すると輪形が二つ折り状に潰れてしまい、作業後にワイヤーロープを抜き外す作業が困難になったり、又再使用する時には挿通しにくくなるため、アイの形状を保持する補強金具を嵌め込むものがあった。
【０００４】
このようなアイ補強金具としては例えば下記に示すような従来技術があった。
【特許文献１】特開平５−１３９６８３号公報  従来のアイ補強金具を備えたワイヤロープを図５に示す。玉掛けワイヤ１０５の両端には予め編込み方式のスプライスによってアイ１０６，１０７が形成されており、補強金具１０１は、略Ｕ字形状に形成される板体であって、その外側に断面略半円状のワイヤ溝１０２が設けられていた。ワイヤ溝１０２の両端部及び中央部にはワイヤロープを把持するためのかしめ片１０３がそれぞれ突出していた。
【０００５】
ワイヤロープはワイヤ溝１０２に沿って嵌められ、その後かしめ片１０３が折り曲げられて装着されていた。このように補強金具を装着する玉掛けワイヤ１０５は、通し穴１０４の輪形が潰れないように保持することができる利点があった。
【０００６】
又メッセンジャーワイヤには図６及び図７に示すように、アイ内部に引留用として丸シンプル２０１、又は割りシンプル３０１と称される補強金具が嵌め込まれていた。これらシンプル２０１，３０１も、円形又は滴形状に形成される板体であって、外側には断面略半円状のワイヤ溝２０２，３０２が設けられていた。図８に示すように、メッセンジャーワイヤ３０５はシンプル３０１に鋼撚り線からなるワイヤー３０３を巻装し、折り返した端部をアルミ管３０４で圧着し、引留用等に使用していた。
【発明の開示】
【発明が解決しようとする課題】
【０００７】
しかし、このようなメッセンジャーワイヤ３０５を図９に示すように係止具４０１に引っ掛け、図示しない締め具等で緊張させる時、ワイヤ強度に比べ係止具４０１の爪４０２の強度が小さい時、爪４０２が折れてしまう恐れがあった。即ち従来のアイ補強金具３０１では、係止具４０１に集中的に荷重を作用させていたため、その作用点の強度が十分でない場合には破損する恐れがあり、事故につながる危険性があった。
【０００８】
この発明は、従来のアイ補強金具が有する上記の問題点を解消すべくなされたものであり、荷重作用点の強度がワイヤ破断強度よりやや劣る場合であっても、荷重作用点の部材が破損する恐れがないアイ補強金具を提供することを目的としている。
【課題を解決するための手段】
【０００９】
上記課題を解決するため、この発明のアイ補強金具は、ワイヤロープのアイ内部に嵌め込み、外面に溝部を形成する板材からなるアイ補強金具において、前記板材は、巻装するワイヤーロープを把持する少なくとも一対の跳出部を設け、この跳出部のワイヤーロープ外方にある重合部に締付金具挿通用の孔を穿設することを特徴とするものである。
【００１０】
アイ補強金具の形状は輪形を形成するものであれば、Ｕ字形、円形、滴形、楕円形等種々の形状が適用可能である。溝部はワイヤロープを嵌め込むため、断面略半円状とする。跳出部の少なくとも一対はアイ先端部に位置するのが望ましい。この跳出部の孔には締付金具である、例えばボルトを挿通し、係止部材に設けるボルト挿通孔に入れ、ナットにて緊結する。このためワイヤロープは、アイ内部が係止する、例えば爪部と、跳出部が係止する、例えばボルトナット部とに荷重作用点が分散する。又跳出部はワイヤロープの脱落防止にも寄与する。
【００１１】
請求項２記載のアイ補強金具の板材は、丸形であって、二対以上の跳出部を設けることを特徴とするものである。丸形の場合方向性が無いのでアイ内部で金具を回動することが可能である。一の跳出部を選択して係止することもできるし、複数の跳出部を同時に係止してもよい。
【発明の効果】
【００１２】
この発明のアイ補強金具は、ワイヤーロープを把持する跳出部に孔を穿設するので、荷重作用点が分散し、係止具が破損する恐れがなくなる。又請求項２記載のアイ補強金具の板材は、丸形に二対以上の跳出部を設けるので、係止態様に広がりを持たすことが可能になる。
【発明を実施するための最良の形態】
【００１３】
次にこの発明の実施の形態を添付図面に基づき詳細に説明する。図１はアイ補強金具の平面図、図２は同正面図である。このアイ補強金具１は、ワイヤロープ２のアイ３内部に嵌め込むもので、滴形に形成され割りシンプルと称される。アイ補強金具１は、断面略半円状の溝部４を形成しこれに沿ってワイヤロープ２を嵌める。溝部４には一対の跳出部５，５を設け、その重合部に孔６，６を穿設する。この孔６にはボルト等の締付金具を挿通する。
【００１４】
次に円形の補強金具の実施形態を図３及び図４に示す。このアイ補強金具１１は、円形に形成され丸シンプルと称される。アイ補強金具１１も断面略半円状の溝部１４を形成し、これに沿ってワイヤロープ１２を嵌める。溝部１４には二対の跳出部１５，１５を設け、それらの重合部に孔１６，１６を穿設する。
【００１５】
この孔１６にボルト１７を挿通する場合には、先ずアイ１３を係止具１８の爪１９に引っ掛け、次に係止具１８より突設する係止板２０にボルト１７を挿入し、ナット２１にて緊結する。ワイヤロープ１２は、爪１９と、ボルトナット１７，２１とで係止され荷重作用点が分散する。丸形のアイ補強金具１１は、二対以上の跳出部１５を設けるので、回動して交互に使用したり、２点で同時に係止することもできる。
【産業上の利用可能性】
【００１６】
この発明のアイ補強金具は、メッセンジャーワイヤや玉掛けワイヤ等に限らず端部にアイを形成するワイヤロープに広く用いることができる。
【図面の簡単な説明】
【００１７】
【図１】アイ補強金具の平面図である。
【図２】アイ補強金具の正面図である。
【図３】別の実施形態のアイ補強金具の平面図である。
【図４】別の実施形態のアイ補強金具の正面図である。
【図５】従来のアイ補強金具を備えたワイヤロープの斜視図である。
【図６】従来の丸シンプルの平面図及び正面図である。
【図７】従来の割りシンプルの平面図及び正面図である。
【図８】従来のメッセンジャーワイヤの端部平面図である。
【図９】従来のワイヤ使用状況の説明図である。
【符号の説明】
【００１８】
１  アイ補強金具
２  ワイヤロープ
３  アイ
４  溝部
５  跳出部
６  孔
【図１】
2007131378.tif 000003
【図２】
2007131378.tif 000004
【図３】
2007131378.tif 000005
【図４】
2007131378.tif 000006
【図５】
2007131378.tif 000007
【図６】
2007131378.tif 000008
【図７】
2007131378.tif 000009
【図８】
2007131378.tif 000010
【図９】
2007131378.tif 000011